(57)【要約】      （修正有）【課題】対応部材との間で抜け落ち、位置ずれ等の状態変化が生じるおそれのないコネクタを提供する。【解決手段】平坦面に起伏を生じることなく備わる電極が整列配置された回路基板Ｐとケース本体部３１０のコンタクトの接触部４１０との間に配置される上面及び下面をからなる矩形状の基部１００を有するハウジング１０と上面及び下面において各面に対して直交する方向に弾性的に変位可能な上弾性部及び下弾性部を有する端子２０とを備えたコネクタ１であって、ハウジング１０は基部１００と基部１００の少なくとも一方の対向する２辺から変位方向に沿って一方向に延びる一対の側壁部とを備え、側壁部の内側面には算術平均粗さが０．０１〜０．３ｍｍの範囲にある粗面を備え、ハウジング１０が対応するケース３０の本体部３１０に装着されたとき、粗面が本体部３１０の側面に当接する。【選択図】図１
2018014186.tif 000002
【特許請求の範囲】
【請求項１】
平坦面に起伏を生じることなく備わる電極が整列配置された２つの部材間に配置される上面及び下面をからなる矩形状の基部を有するハウジングと前記上面及び下面において前記各面に対して直交する方向に弾性的に変位可能な上弾性部及び下弾性部を有する端子とを備えたコネクタであって、
前記ハウジングは前記基部と前記基部の少なくとも一方の対向する２辺から前記変位方向に沿って一方向に延びる一対の側壁部とを備え、
前記側壁部の内側面には算術平均粗さが０．０１〜０．３ｍｍの範囲にある粗面を備え、
前記ハウジングが対応する部材の凸部に装着されたとき、前記粗面が前記凸部の外面に当接するところに特徴を有するコネクタ。
【請求項２】
平坦面に起伏を生じることなく備わるターミナルが整列配置された２つの部材間に配置される上面及び下面をからなる矩形状の基部を有するハウジングと前記上面及び下面において前記各面に対して直交する方向に弾性的に変位可能な上弾性部及び下弾性部を有する端子とを備えたコネクタであって、
前記ハウジングは前記基部と前記基部の少なくとも一方の対向する２辺から前記変位方向に沿って一方向に延びる一対の側壁部とを備え、
前記側壁部の内側面の先端よりに内向きに隆起した係止部が備わるところに特徴を有するコネクタ。
【請求項３】
請求項１又は２記載の前記基部は全部又は一部が母材がエラストマ材の異方性導電シートであるところに特徴を有するコネクタ。
【請求項４】
請求項１又は２記載の端子がコイル状の導電性金属であって、前記基部には前記端子を収容する空間が区画され、前記空間は前記基部の上面及び下面に開口部を備え、前記空間に収容された前記端子は前記開口部から一部コイルが露出するところに特徴を有するコネクタ。
【発明の詳細な説明】
【技術分野】
【０００１】
この発明は主に基板間を接続するコネクタに関する。
【背景技術】
【０００２】
この分野の技術として特許文献１記載の技術が知られている。回路基板とマイクを電気的に接続するために、両者の間にコネクタを装着した状態が全体を覆う弾性カバーによって保持されている。これにより、回路基板とマイクとの間の軸方向の機械的電気的接続は十分な接圧でおこなわれている。
【０００３】
コネクタをマイクと回路基板との間に組み込む工程は、平板上に置かれた弾性カバーに覆われた状態のマイクの上面に、底面をマイクの上面に対向させた姿勢でコネクタをセットすることが想定されている。セット時のコネクタがこのような姿勢であればコネクタをマイクにセットした状態を保持するための特別な機構は必要ではない。たとえば姿勢保持機構のような構造が備わらなくても問題は生じない。
【先行技術文献】
【特許文献】
【０００４】
【特許文献１】特開２０１３−１５２８４１号公報
【発明の概要】
【発明が解決しようとする課題】
【０００５】
しかし、たとえばマイクを９０度起こした姿勢で組み付ける場合、コネクタとマイクとの間に、たとえば姿勢保持機構のような特別な構造が備わらない状況では、マイクからコネクタが外れるか、あるいは容易に位置ずれが生じるおそれがある。
【０００６】
本発明は、このような事情に鑑みてなされたものであって、組立工程にある対応部材のとるべき姿勢の状態によってコネクタの装着すべき方向が対応部材の下方位置にある場合でも、対応部材との間で抜け落ち、位置ずれ等の状態変化が生じるるおそれのないコネクタを提供することを目的とする。
【課題を解決するための手段】
【０００７】
本発明のコネクタは、（１）平坦面に起伏を生じることなく備わる電極が整列配置された２つの部材間に配置される上面及び下面をからなる矩形状の基部を有するハウジングと前記上面及び下面において前記各面に対して直交する方向に弾性的に変位可能な上弾性部及び下弾性部を有する端子とを備えたコネクタであって、前記ハウジングは前記基部と前記基部の少なくとも一方の対向する２辺から前記変位方向に沿って一方向に延びる一対の側壁部とを備え、前記側壁部の内側面には算術平均粗さが０．０１〜０．３ｍｍの範囲にある粗面を備え、前記ハウジングが対応する部材の凸部に装着されたとき、前記粗面が前記凸部の外面に当接するところに特徴を有するものである。
【０００８】
この発明によれば、ハウジングの側壁部の内側面の表面粗度が算術平均でＸ〜Ｙの範囲にある粗面であり、対応部材の凸部に装着されたコネクタは、粗面と当接面との間でコネクタの抜け落ちに抗う摩擦抵抗が発生する。これにより対応部材との間で抜け落ち、位置ずれ等の状態変化が生じるおそれのないコネクタが得られる。
【０００９】
粗面の算術平均粗さは好ましくは０．０１〜０．３ｍｍの範囲であり、より好ましくは０．０５〜０．１ｍｍの範囲である。表面粗度が０．３ｍｍより大きい場合には、対応部
材の表面がこすれによって削りかすが発生し、表面粗度が０．０１ｍｍより小さい場合には、対応部材との間で必要とする摩擦抵抗が発生しないときがある。粗面の算術平均粗さは対応部材の表面粗度によっても変化する相対的な性質である。
【００１０】
好ましくは、本発明のコネクタは、（２）平坦面に起伏を生じることなく備わるターミナルが整列配置された２つの部材間に配置される上面及び下面をからなる矩形状の基部を有するハウジングと前記上面及び下面において前記各面に対して直交する方向に弾性的に変位可能な上弾性部及び下弾性部を有する端子とを備えたコネクタであって、前記ハウジングは前記基部と前記基部の少なくとも一方の対向する２辺から前記変位方向に沿って一方向に延びる一対の側壁部とを備え、前記側壁部の内側面の先端よりに内向きに隆起した係止部が備わるところに特徴を有するものである。
【００１１】
この発明によれば、ハウジングの側壁部の内側面の先端より内向きに隆起した係止部が備わり、ハウジングが対応部材の凸部に装着されたとき係止部が対応部材の被係止部に係止する。これにより対応部材との間で抜け落ち、位置ずれ等の状態変化が生じるおそれのないコネクタが得られる。
【００１２】
好ましくは、本発明のコネクタは、（３）上記（１）又は（２）記載の前記基部は全部又は一部が母材がエラストマ材の異方性導電シートであるところに特徴を有するものである。
【００１３】
この発明によれば、ハウジングの基部はエラストマ材の異方性導電シートなので、対応部材のターミナルがファインピッチで構成される場合でも対応できる。
【００１４】
好ましくは、本発明のコネクタは、（４）上記（１）又は（２）記載の端子がコイル状の導電性金属であって、前記基部には前記端子を収容する空間が区画され、前記空間は前記基部の上面及び下面に開口部を備え、前記空間に収容された前記端子は前記開口部から一部コイルが露出するところに特徴を有するものである。
【００１５】
この発明によれば、端子がコイル状なので、加工が容易であり、又組立も容易である。
【図面の簡単な説明】
【００１６】
【図１】図１は、本実施形態に係るコネクタが回路基板とケースの間に組み付けられる状態を示す組立斜視図である。
【図２】図２は、図１のＩＩ−ＩＩ断面図である。
【図３】図３は、第２実施形態に係るコネクタの外観斜視図である。
【図４】図４は、図３のＩＶ−ＩＶ断面図である。
【図５】図５は、第３実施形態に係るコネクタの外観斜視図である。
【図６】図６は、図５のＶＩ−ＶＩ断面図である。
【図７】図７は、第４実施形態に係るコネクタの外観斜視図である。
【図８】図８は、図７のＶＩＩＩ−ＶＩＩＩ断面図である。
【図９】図９は、本実施形態のコネクタの使用例を示す概念図である。
【発明を実施するための形態】
【００１７】
本発明の実施形態を添付図面に基づいて説明するが、本発明の技術的範囲は、これらの実施形態によって限定されるものではなく、発明の要旨を逸脱しない範囲で種々の態様で実施することができる。図１は、本実施形態に係るコネクタが回路基板とケースの間に組み付けられる状態を示す組立斜視図である。図２は、図１のＩＩ−ＩＩ断面図である。図９は、本実施形態のコネクタの使用例を示す概念図である。
【００１８】
〈組み付け姿勢の概説〉コネクタ１は、図１、図２に示されるように、板状の回路基板Ｐと非導電性のケース３０との間に装着されて、回路基板Ｐの電極Ｔとケース本体部３１０に貫通して備わるコンタクト４０との間を電気的機械的に接続する。
【００１９】
組立工程で、ケース３０は、図１、図２に示されるように、コネクタ１の基部１００に対して本体部３１０が下方位置にある姿勢である。また、ケース３０に対するコネクタ１の組み付け位置は、図１、図２に示されるように、ケース３０の下方位置にあり、コネクタ１の内側をケース３０に向ける姿勢である。コネクタ１はこの姿勢のまま上方へ移動されケース本体部３１０に組み付けられる。
【００２０】
組立工程では、その後、図１、図２に示されるように、コネクタ１の下方位置から回路基板Ｐがセットされ、コネクタ１を介してケース３０のコンタクト４０と回路基板Ｐの電極Ｔとが電気的に接続される。
【００２１】
このように、組立工程でケース３０に対してコネクタ１が下方位置にあり上方へ組み付けられる場合でも、ケース本体部３１０に装着されたコネクタ１が抜出したり下方へずれたり等の状態が変化することが抑制されたコネクタ１について以下図面に基づいて詳細に説明していく。
【００２２】
〈コネクタ〉コネクタ１は、図１、図２に示されるように、非導電性の合成樹脂からなるハウジング１０と導電性の金属からなる端子２０とを備えている。
【００２３】
ハウジング１０は、図１、図２に示されるように、周囲が壁の箱状で底面の基部１００と、基部１００を囲うように各辺縁から上方向に略垂直に延びる４個の側壁部１１０とからなる。各側壁部１１０の上端辺は略一定の高さに揃う。コネクタ１は、組み付けのとき、図１に示されるように、基部１００を下方に向けて、開口部１０７が上方にある姿勢で対応するケース３０に対峙する。
【００２４】
基部１００は、図１、図２に示されるように、下側にある回路基板面と上側にあるケース面との間に端子２０を収容するための収容部１０５が区画形成されている。収容部１０５は２列に区画されており、各列に３個備わり計６個の端子２０が組み込まれている。端子２０は収容部１０５内で上下方向に弾性的に変形する。
【００２５】
基部１００の回路基板面及びケース面には、図１、図２に示されるように、平面上に端子２０が露出するための開口部１０７が形成されている。開口部１０７からは収容部１０５に収容されている端子２０が２列に亘って計６個が露出している。
【００２６】
開口部１０７は、図２に示されるように、収容部１０５の回路基板面及びケース面の両面の略対応する位置に形成されている。開口部１０７の左右方向の幅は収容部１０５の左右方向の幅よりも小さく形成されているので、収容部１０５の左右両端部は基部１００の回路基板面及びケース面によって上面及び下面が閉ざされている。
【００２７】
ハウジング１０の側壁部１１０は、図２に示されるように、内側面の先端よりに内向きに張り出す係止部１２０が備わる。係止部１２０は側壁部１１０の幅方向に沿って備わる。係止部１２０は断面三角形で先端は鋭角である。係止部１２０は連続的に幅方向に延びる形態であってよく、また断続的に延びる形態であってもよい。
【００２８】
係止部１２０は、対向する一対の側壁部１１０の両側に備わる形態であってよく、また、片側の側壁部１１０に備わる形態であってもよい。また隣り合う２つの側壁部１１０に備わる形態であってよく、４つの側壁部１１０に備わる形態であってもよい。
【００２９】
係止部１２０は、ボス状の張り出しであってよく、ボス状の張り出しが２個以上備わる形態であってもよい。
【００３０】
係止部１２０は、凹状であってよく、この場合対応する被係止部は凸状が好ましい。
【００３１】
係止部１２０は、一対の側壁部１１０の一方は凸状で他方が凹状の形態であってよく、この場合対応する被係止部は凹状と凸状の組み合わせが好ましい。
【００３２】
〈端子〉端子２０は、図２に示されるように、剛性を有する導電性の金属板片が十文字の星型に成形された弾性体である。
【００３３】
端子２０は、図２に示されるように、外方向に膨らみを持つ３個の湾曲部が９０度づつ時計方向にずれた位置にある略十文字である。湾曲部は、ケース面側にある上弾性部２２０、回路基板側にある下弾性部２１０、及び左右方向に膨らむ横弾性部２３０からなる。また端子２０の端部は十文字の横一軸を形成するように横弾性部２３０の延びる方向と反対方向に沿って延びている。
【００３４】
収容部１０５の正規位置に収容された端子２０は、図２に示されるように、ケース面側の開口部１０７から上弾性部２２０が露出し、回路基板面側の開口部１０７から下弾性部２１０が露出している。また端子２０は正規収容位置で横弾性部２３０は収容部１０５の端部方向に延び上下面が閉ざされている。これにより端子２０は、上面及び下面によって抜出しが阻止される。さらに端子２０の端部も収容部１０５の端部方向に延び上下面が閉ざされている。これにより端子２０は、上面及び下面によって抜出しが阻止される。
【００３５】
上弾性部２２０、及び下弾性部２１０は、図２に示されるように、主に上下方向に弾性的に変位する。このときの弾性的変位は上弾性部２２０、下弾性部２１０単体による変形のほか横弾性部２３０の変形も重畳されたもので、弾性的変形は、端子２０全体が協働して一体的に変形するものである。
【００３６】
上弾性部２２０は、図２に示されるように、ケース本体部３１０の下面側に露出するコンタクト４０の接触部４１０に電気的機械的に接続する。下弾性部２１０は、回路基板Ｐの電極Ｔと電気的機械的に接続する。
【００３７】
〈組み付け〉図示しない組立ラインにおいて、ケース３０は、図１に示される本体部３１０が基部３２０の下方位置にある姿勢で搬送レール上を移動する。組立ライン上を移動して所定のステージでコネクタ１はケース３０に組み付けられる。
【００３８】
コネクタ１は、図１に示されるように、ケース３０の本体部３１０に対して下方位置から上方へ移動するようにして組み付けられる。コネクタ１の組み付け完了位置で側壁部１１０の先端に備わる係止部１２０は対応する本体部３１０の被係止部３１５に重なる位置にあり、この位置で係止する。
【００３９】
コネクタ１が本体部３１０の組み付け完了位置まで組み付けられたとき、係止部１２０は被係止部３１５に係止する。これによりコネクタ１は本体部３１０に対して上下方向の移動が規制される。これにより、コネクタ１がケース３０に対して下方位置から装着される組立工程であっても、コネクタ１がケース３０の本体部３１０から抜け落ちたり、位置ずれが生じたりすることは抑制される。
【００４０】
コネクタ１が本体部３１０に組み付けられたケース３０は、図１に示されるように、本
体部３１０が基部３２０に対して下方位置にある姿勢のまま組立ライン上を図示しない次のステージへ移動する。図示しない所定のステージで回路基板Ｐはコネクタ１に重ね合わせられる。回路基板Ｐが重ね合わせられたケース３０は、図９に示されるように、レンズ７０、シェル７５が順次組み付けられ、最後にフロントケース８０でケース３０が閉じられる。これによりコネクタ１と回路基板Ｐとの重ね合わせ構造がケース３０内で固定されことになる。
【００４１】
〈効果〉本発明の実施形態に係るコネクタ１は、側壁部１１０に係止部１２０が備わり、ケース本体部３１０の正規組み付け位置に組み付けられたとき、係止部１２０は本体部３１０の側面に備わる被係止部３１５に係止する。これにより、コネクタ１の装着すべき部位がケース３０の下方位置にある場合でも、ケース本体部３１０から抜け落ちや、位置ずれ等の状態変化が生じるるおそれのないコネクタ１が得られる。
【００４２】
本発明の実施形態に係るコネクタ１は、本体部３１０に対して機械的な嵌め込みで組み付けられるので、半田固着による実装工程が不要になる。これにより、組立工程の効率化が図られたコネクタ１が得られる。
【００４３】
本発明の実施形態に係るコネクタ１は、星型の端子２０の上弾性部２２０、下弾性部２１０、及び横弾性部２３０が全体的に協働して一体的に弾性的変形をして対応する接触部４１０、及び電極Ｔに対して電気的機械的に接続する。これにより、対応する接触部４１０、及び電極Ｔの位置がずれたときでも、ずれに対する追従性が高められたコネクタ１が得られる。
【００４４】
本発明の実施形態にかかるコネクタ１は、基部１００の内部に端子２０が収容されて、上面及び下面に接触部４１０が露出する態様なので、接続方向の薄型化が可能なコネクタ１が得られる。
【００４５】
〈他の実施形態〉図３は、第２実施形態に係るコネクタの外観斜視図である。図４は、図３のＩＶ−ＩＶ断面図である。図５は、第３実施形態に係るコネクタの外観斜視図である。図６は、図５のＶＩ−ＶＩ断面図である。図７は、第４実施形態に係るコネクタの外観斜視図である。図８は、図７のＶＩＩＩ−ＶＩＩＩ断面図である。
【００４６】
〈第２実施形態〉第２実施形態のコネクタ１は、図３、図４に示されるように、ハウジング１０の側壁部の内側面に算術平均粗さが０．０１〜０．３ｍｍの範囲にある粗面１１２０を備えている。
【００４７】
コネクタ１が本体部３１０に装着される過程で、粗面１１２０は、対応する本体部３１０の側面に接触する。粗面１１２０と側面との接触はコネクタ１の主に上下方向の移動に対する抵抗を生じさせる。これによりコネクタ１が本体部３１０に対して、図１に示されるように、下方位置にあり下方から組み付けられる場合でも、コネクタ１が本体部３１０から抜け落ちたり、位置ずれが生じたりすることはない。
【００４８】
このような変形を加えても概ね上記した効果が得られる。
【００４９】
〈第３実施形態〉第３実施形態のコネクタ１は、図５、図６に示されるように、基部１００の収容部１０５に剛性を有する導電性のコイル５０が収容されている。
【００５０】
コイル５０は、図５、図６に示されるように、端部５２０に対して中央部５１０が一様に膨らむ繭状で、中央部５１０が開口部１０７から露出している。コネクタ１が本体部３１０に組み付けられ、その上に回路基板Ｐが重ね合わせられたとき、コイル５０全体が一
様に変形して一体的に反力を発生させる。これにより、対応する電極との間で安定した信頼性のある電気的機械的接続が得られる。
【００５１】
第３実施形態の実施例として繭状のコイルを図５、図６で図示したが、コイル形状は繭状に限定されるものではない。中央部が一様に窪みその両側が一様に膨らみさらにその側部が一様に窪み、そして側部が端部に繋がる形状であってもよい。さらに、コイルは複数のコイルが収容部に収容される形態であってもよく、このときコイルの形状、大きさは異なるものであってもよい。
【００５２】
このように変形を加えても、概ね上述した効果が得られる。
【００５３】
〈第４実施形態〉第４実施形態のコネクタ１は、図７、図８に示されるように、基部の一部に異方性導電シートが組み付けられている。
【００５４】
異方性導電シー６０トは、特定の一方向にのみ良導電性を示すものであって本実施例の場合はシートの厚み方向に良導電性を示し、面上の任意の２点間では非導電性を示すものである。異方性導電シートには種々タイプがある。たとえば、非導電性のシリコーンシートを母材として、厚み方向に沿って導電性の金属線が埋設されているものがある。また、図７、図８に示されるように、非導電性のエラストマシート６２０を母材として、金粒子あるいは銀粒子などの導電性粒子の混錬による導電性のエラストマ材６１０が母材中に市松模様状に配置されるものがある。
【００５５】
このように変形を加えても、概ね上述した効果が得られる。
【符号の説明】
【００５６】
１            コネクタ
１０          ハウジング
１００        基部
１０５        収容部
１０７        開口部
１１０        側壁部
１２０        係止部
１１２０      粗面
２０          端子
２１０        上弾性部
２２０        下弾性部
２３０        横弾性部
３０          ケース
３１０        本体部
３１５        被係止部
３２０        基部
３３０        筒部
３４０        カバー部
３５０        台座
３５５        ねじ穴
４０          コンタクト
４１０        接触部
４２０        接続部
５０          コイル
５１０        中央部
５２０        端部
６０          異方性導電シート
６１０        導電部
６２０        非導電部
Ｐ            回路基板
Ｔ            電極
【図１】
2018014186.tif 000003
【図２】
2018014186.tif 000004
【図３】
2018014186.tif 000005
【図４】
2018014186.tif 000006
【図５】
2018014186.tif 000007
【図６】
2018014186.tif 000008
【図７】
2018014186.tif 000009
【図８】
2018014186.tif 000010
【図９】
2018014186.tif 000011